(57)【要約】【課題】故障時や紙幣詰まりが生じたような場合のメンテナンス性が高い紙幣識別装置を提供することにある。【解決手段】ベース部２とその開口部を開閉する正面カバー３によって囲まれる空間内に、投入口から本体内に投入された紙幣を搬送通路に沿って搬送する搬送手段１０と、投入された紙幣の真偽を識別する識別手段２０（識別センサ２５）と、搬送された紙幣を収納する収納部３０と、搬送された紙幣を前記収納部３０に押し込んで集積するスタック手段４０を収納して成る紙幣識別装置１において、前記搬送手段１０と前記スタック手段４０を駆動ユニット５０としてユニット化し、該駆動ユニット５０を前記ベース部２に対して係脱可能に取り付ける。【選択図】図１１
2010211426.tif 000002
【特許請求の範囲】
【請求項１】
ベース部とその開口部を開閉する正面カバーによって囲まれる空間内に、投入口から本体内に投入された紙幣を搬送通路に沿って搬送する搬送手段と、投入された紙幣の真偽を識別する識別手段と、搬送された紙幣を収納する収納部と、搬送された紙幣を前記収納部に押し込んで集積するスタック手段を収納して成る紙幣識別装置において、
前記搬送手段と前記スタック手段を駆動ユニットとしてユニット化し、該駆動ユニットを前記ベース部に対して係脱可能に取り付けたことを特徴とする紙幣識別装置。
【請求項２】
前記搬送手段の搬送通路を識別通路と収納通路とで構成し、前記駆動ユニットの一端を前記ベース部に回動可能に軸支するとともに、他端をベース部に係脱可能とし、該駆動ユニットとベース部には識別手段と識別通路側面部をそれぞれ設け、駆動ユニットをベース部に係止することによって前記識別通路を形成することを特徴とする請求項１記載の紙幣識別装置。
【請求項３】
前記正面カバーを前記ベース部に回動可能に軸支するとともに、該正面カバーに前記収納部を設けたことを特徴とする請求項１又は２記載の紙幣識別装置。
【請求項４】
前記搬送通路の収納通路と前記収納部を湾曲させ、紙幣を湾曲した状態で収納部に収納するようにしたことを特徴とする請求項１〜３の何れかに記載の紙幣識別装置。
【発明の詳細な説明】
【技術分野】
【０００１】
本発明は、自動販売機、両替機、貸し出し機等に付設される紙幣識別装置に関するものである。
【背景技術】
【０００２】
この種の紙幣識別装置は、ベース部とその開口部を開閉する正面カバーによって囲まれる空間内に、投入口から本体内に投入された紙幣を搬送通路に沿って搬送する搬送手段と、投入された紙幣の真偽を識別する識別手段と、搬送された紙幣を収納する収納部と、搬送された紙幣を前記収納部に押し込んで集積するスタック手段を収納して構成されている。
【０００３】
ところで、斯かる紙幣識別装置に関して、特許文献１には、単一のモータを正逆転させて紙幣搬送部とスタック手段（押圧手段）の双方に駆動力を伝達する動力伝達手段を設けることによって、装置の構造単純化とコンパクト化を図る技術が提案されている。
【先行技術文献】
【特許文献】
【０００４】
【特許文献１】特開平６−１５０１０６公報
【発明の概要】
【発明が解決しようとする課題】
【０００５】
ところが、特許文献１において提案された装置を含む従来の紙幣識別装置は、搬送手段やスタック手段が故障した場合には装置全体を交換する必要がある他、搬送通路等に紙幣が詰まった場合の紙幣の取り出しが容易でなく、メンテナンス性に劣るという問題があった。
【０００６】
従って、本発明の第１の目的とする処は、故障時や紙幣詰まりが生じたような場合のメンテナンス性が高い紙幣識別装置を提供することにある。
【０００７】
又、従来の紙幣識別装置は、収納部に紙幣を真っ直ぐな状態で平積みして収納する構成が採用されていたため、前記収納部は紙幣の長手方向寸法以上の寸法を必要とし、結果、紙幣識別装置自体の小型化には限界があり、設置場所にも制約が伴っていた。
【０００８】
従って、本発明の第２の目的とする処は、小型・コンパクト化を図ることができる紙幣識別装置を提供することにある。
【課題を解決するための手段】
【０００９】
上記目的を達成するため、請求項１記載の発明は、ベース部とその開口部を開閉する正面カバーによって囲まれる空間内に、投入口から本体内に投入された紙幣を搬送通路に沿って搬送する搬送手段と、投入された紙幣の真偽を識別する識別手段と、搬送された紙幣を収納する収納部と、搬送された紙幣を前記収納部に押し込んで集積するスタック手段を収納して成る紙幣識別装置において、前記搬送手段と前記スタック手段を駆動ユニットとしてユニット化し、該駆動ユニットを前記ベース部に対して係脱可能に取り付けたことを特徴とする。
【００１０】
請求項２記載の発明は、請求項１記載の発明において、前記搬送手段の搬送通路を識別通路と収納通路とで構成し、前記駆動ユニットの一端を前記ベース部に回動可能に軸支するとともに、他端をベース部に係脱可能とし、該駆動ユニットとベース部には識別手段と識別通路側面部をそれぞれ設け、駆動ユニットをベース部に係止することによって前記識別通路を形成することを特徴とする。
【００１１】
請求項３記載の発明は、請求項１又は２記載の発明において、前記正面カバーを前記ベース部に回動可能に軸支するとともに、該正面カバーに前記収納部を設けたことを特徴とする。
【００１２】
請求項４記載の発明は、請求項１〜３の何れかに記載の発明において、前記搬送通路の収納通路と前記収納部を湾曲させ、紙幣を湾曲した状態で収納部に収納するようにしたことを特徴とする。
【発明の効果】
【００１３】
請求項１記載の発明によれば、搬送手段とスタック手段を駆動ユニットとしてユニット化し、該駆動ユニットをベース部に対して係脱可能に取り付けたため、搬送手段やスタック手段の機構部分が故障したような場合には、駆動ユニットのみを交換すれば済むためにメンテナンス性が高められ、経済的でもある。
【００１４】
請求項２記載の発明によれば、搬送通路の識別通路に紙幣が詰まった場合には、駆動ユニットのベース部への係合を解除してこれを開けば、識別通路が開放されるため、詰まった紙幣を容易に取り除くことができる。
【００１５】
請求項３記載の発明によれば、正面カバーをベース部に回動可能に軸支するとともに、該正面カバーに収納部を設けたため、正面カバーを回動させて開放することによって、収納部に収納されている紙幣を容易に取り出して回収することができる。
【００１６】
請求項４記載の発明によれば、紙幣を湾曲した状態で紙幣収納部に収納するようにしたため、前記紙幣収納部の寸法を紙幣の長手方向寸法以下に抑えることができ、その結果、装置自体の小型・コンパクト化が可能となり、従来は設置できなかった場所にも装置を設置することができて用途が多様化する。
【図面の簡単な説明】
【００１７】
【図１】本発明に係る紙幣識別装置を備えた遊技島の部分斜視図である。
【図２】本発明に係る紙幣識別装置の斜視図である。
【図３】本発明に係る紙幣識別装置の左側断面図である。
【図４】本発明に係る紙幣識別装置の右側断面図である。
【図５】本発明に係る紙幣識別装置の右側断面図である。
【図６】本発明に係る紙幣識別装置の分解斜視図である。
【図７】本発明に係る紙幣識別装置の駆動ユニットの正面側斜視図である。
【図８】本発明に係る紙幣識別装置の駆動ユニットの背面側斜視図である。
【図９】本発明に係る紙幣識別装置の駆動ユニットを開いて開放した状態を示す斜視図である。
【図１０】本発明に係る紙幣識別装置の正面カバーを開いて開放した状態を示す右側面図である。
【図１１】本発明に係る紙幣識別装置の正面カバーと駆動ユニットを開いて開放した状態を示す斜視図である。
【発明を実施するための形態】
【００１８】
以下に本発明の実施の形態を添付図面に基づいて説明する。
【００１９】
図１は本発明に係る紙幣識別装置を備えた遊技島の部分斜視図、図２は本発明に係る紙幣識別装置の斜視図、図３は同紙幣識別装置の左側断面図、図４及び図５は同紙幣識別装置の右側断面図、図６は同紙幣識別装置の分解斜視図、図７は同紙幣識別装置の駆動ユニットの正面側斜視図、図８は同駆動ユニットの背面側斜視図、図９は駆動ユニットを開いて開放した状態を示す斜視図、図１０は正面カバーを開いて開放した状態を示す右側面図、図１１は正面カバーと駆動ユニットを開いて開放した状態を示す斜視図である。
【００２０】
パチンコ店に設置された図１に示す遊技島１００には複数台のパチンコ台１０１が並設されており、隣接するパチンコ台１０１の間には玉貸機１０２が設置されている。そして、各玉貸機１０２の上方のプレート１０３には本発明に係る紙幣識別装置１がそれぞれ設置されており、プレート１０３の各パチンコ台１０１の上方には呼出ランプ１０４がそれぞれ設けられている。
【００２１】
ここで、本発明に係る紙幣識別装置１は、これに投入される紙幣の真偽を識別し、その紙幣が正貨である場合には、その金額に応じた信号を玉貸機１０２に送信して所定数のパチンコ玉を玉貸機１０２から排出させるとともに、紙幣を装置内で搬送して収納する機能を果たすものである。この紙幣識別装置１は、図２に示すように、図１に示すプレート１０３に取り付けられる矩形箱状のベース部２と、該ベース部２の前面に開閉可能に設けられた正面カバー３とを備えている。
【００２２】
上記正面カバー３は、その高さ方向中央部が手前側に突出する前面３ａと、その上下の斜面３ｂ，３ｃ及び台形状の左右の側面３ｄ，３ｅとで台形ボックス状に成形されており、その左右の側面３ｄ，３ｅの下部がベース部２の下部両端に回動可能に軸支されている。そして、図３〜図５に示すように、ベース部２の下面には投入口４が開口しており、ベース部２の下部には紙幣を投入口４に導くための投入ガイド５が垂直下方に突設されている。
【００２３】
而して、紙幣識別装置１のベース部２と正面カバー３によって囲まれた内部空間には、図３〜図５に示すように、前記投入口４から本体内に投入された紙幣Ｐを搬送通路を構成する識別通路６と収納通路７に沿って搬送する搬送手段１０と、投入された紙幣Ｐの真偽を識別する識別手段２０と、搬送された紙幣Ｐを収納する収納部３０と、搬送された紙幣Ｐを前記収納部３０に押し込んで集積するスタック手段４０が収容されている。
【００２４】
上記搬送手段１０には、図３に示すように、左右一対の大径の搬送駆動ローラ９と複数のベルトローラ１１〜１５（図３には左側のみを示す）が駆動ベース１６に回転可能に支持されており、各側の搬送駆動ローラ９と複数のベルトローラ１１〜１５には無端状の搬送ベルト１７がそれぞれ巻き掛けられている（図６〜図９参照）。そして、搬送駆動ローラ９には回転可能な搬送ローラ１８，１９が搬送ベルト１７を介して当接しており、ベルトローラ１１，１２には回転可能な搬送ローラ２１，２２が搬送ベルト１７を介して当接している。
【００２５】
ここで、図３に示すように、搬送駆動ローラ９の近傍には搬送モータＭ１が配置されており、この搬送モータＭ１から垂直上方に延びる不図示の出力軸の回転はその方向が直角に変換されて小径のギヤＧ１に伝達され、このギヤＧ１の回転は、該ギヤＧ１に噛合して搬送駆動ローラ９と共に回転する大径の駆動ギヤＧ２に伝達され、該駆動ギヤＧ２と搬送駆動ローラ９が図３の矢印方向（時計方向）に所定の速度で回転駆動される。すると、この搬送駆動ローラ９と複数のベルトローラ１１〜１５に巻き掛けられた搬送ベルト１７が同方向に回転駆動され、後述のように投入口４から投入された紙幣Ｐが識別通路６と収納通路７に沿って搬送される。
【００２６】
又、ベース部２と正面カバー３によって囲まれた内部空間には側面ベース２３が収容されており、この側面ベース２３の収納部３０に対向する前面側には左右一対の搬送ガイド２３ａが形成されている（図６及び図７参照）。これらの搬送ガイド２３ａは、正面カバー３の内面形状に沿って側面視横Ｖ字状に湾曲しており、その内側に前記収納通路７が形成されている（図７参照）。
【００２７】
ところで、図３に示すように、前記識別通路６は、投入口４から垂直上方に延びており、その投入口４に近い部分には紙幣Ｐの投入を光学的に検知する入口センサ２４が配置されており、その上方には、前記識別手段２０を構成する識別センサ２５が配置されている。尚、識別センサ２５は、識別通路６を通過する紙幣Ｐの濃淡と磁気を検出することによって紙幣Ｐの真偽を識別するものである。
【００２８】
又、識別通路６の上端部付近には、紙幣Ｐの通過を検知する回動可能な検知レバー２６が配置されている。尚、検知レバー２６は識別通路６を紙幣Ｐが通過することによって揺動し、この検知レバー２６の揺動を不図示の検知センサが光学的に検知することによって紙幣Ｐの通過が検知される。
【００２９】
前記収納部３０は、正面カバー３の内側に形成され、これには正面カバー３の内面形状に沿って側面視横Ｖ字状に成形されたカバーベース板２７が配置されており、このカバーベース板２７と側面ベース２３との間には側面視横Ｖ字状を成す収納空間Ｓが形成されている。そして、収納部３０には、該収納部３０に紙幣Ｐが収納されているか否かを光学的に検知するための検知センサ２８が配設されている。
【００３０】
次に、前記スタック手段４０の構成を図４及び図５に基づいて説明する。
【００３１】
垂直に配設されたスタックベース２９には側面視横Ｖ字状に湾曲したスタックプレート３１がＸ字状にクロスするリンク３２，３３によって前後方向に往復動可能に支持されており、該スタックプレート３１の湾曲した高さ方向中央部の内側にはプレート状のスタックカムガイド３４が取り付けられている。そして、このスタックカムガイド３４には側面視横Ｖ字状に屈曲したカム溝３４ａが形成されている。又、スタックカムプレート３１は前記リンク３２，３３によって前記スタックベース２９に前後に往復動可能に連結されている。尚、スタックプレート３１は側面ベース２３の搬送ガイド２３ａの間に配置されており、その幅は搬送ガイド２３ａの内側に形成された収納通路７を搬送される紙幣Ｐの横幅よりも狭く設定されている。
【００３２】
更に、前記スタックカムガイド３４の近傍には、スタックカム３５が軸３６を中心として回転可能に配設されており、このスタックカム３５の端部に回転可能に軸支されたカムローラ３７は、スタックカムガイド３４に形成された前記カム溝３４ａに係合している。そして、スタックカム３５に結着された前記軸３６には駆動ギヤＧ３が取り付けられており、この駆動ギヤＧ３は図７に示すスタックモータＭ２によって回転駆動される。
【００３３】
次に、以上のように構成された紙幣識別装置１の作用について説明する。
【００３４】
パチンコ店において遊技客が図１に示すパチンコ台１０１でプレイする際には、本発明に係る紙幣識別装置１の下方に開口する投入口４から投入ガイド５に沿って紙幣Ｐを縦長方向に投入する。尚、投入口４に紙幣Ｐが投入される以前には、図４に示すように、スタック手段４０のカムローラ３７はスタックカムガイド３４のカム溝３４ａの中央部分（頂点部分）に位置している。そして、この状態ではリンク３２，３３は折り畳まれてスタックプレート３１は後退し、該スタックプレート３１は側面ベース２３の搬送ガイド２３ａ（収納通路７）の後方（図４の右方）に退避している。
【００３５】
而して、上述のように紙幣識別装置１の投入口４から紙幣Ｐが投入され、この紙幣Ｐが図３に示す入口センサ２４によって検知されると、搬送モータＭ１が駆動され、この搬送モータＭ１の回転は前述のようにギヤＧ１及び駆動ギヤＧ２を経て搬送駆動ローラ９に伝達される。すると、搬送駆動ローラ９が図３に示す矢印方向に回転駆動され、これに巻き掛けられた搬送ベルト１７が同方向に所定の速度で回転駆動されるため、紙幣Ｐは搬送ベルト１７と搬送ローラ２１，２２によって挟持されながら識別通路６を上方に向かって搬送される。そして、紙幣Ｐは識別通路６を搬送される過程で識別センサ２５によって真偽が判定され、紙幣Ｐが正貨である場合にはそのまま搬送が継続され、偽貨である場合には搬送モータＭ１が逆転して紙幣Ｐが投入口４から排出されて返却される。
【００３６】
識別センサ２５によって正貨であると識別された紙幣Ｐは、その後、搬送ベルト１７と搬送ローラ１８，１９によって挟持されつつ識別通路６から側面視横Ｖ字状の収納通路７へと搬送されるが、収納通路７においては、紙幣Ｐはその長手方向両端（幅方向両端）が側面ベース２３の左右一対の搬送ガイド２３ａに沿ってガイドされながら搬送される。そして、紙幣Ｐの後端が検知レバー２６を通過したことが該検知レバー２６と不図示の検知センサによって検知されてから所定時間が経過すると、つまり、紙幣Ｐの後端が搬送ローラ１９を抜けて収納通路７に湾曲した状態で収容されると、搬送モータＭ１の駆動が停止されて搬送ベルト１７の回転も停止されると同時に、スタック手段４０のスタックモータＭ２（図７参照）が起動される。
【００３７】
前述のようにスタックモータＭ２が起動されると、その回転は駆動ギヤＧ３及びスタックカム３５に伝達され、これらが軸３６を中心として回転する。すると、初期には図４に示すようにカムローラ３７がスタックカムガイド３４のカム溝３４ａの中央（頂点）に位置しているためにスタックプレート３１が側面ベース２３の搬送ガイド２３ａ（収納通路７）の後方に後退している状態から、カムローラ３７がカム溝３４ａ内を移動する。
【００３８】
そして、図４に示す初期状態からスタックカム３５が軸３６を中心として半回転すると、図５に示すようにカムローラ３７によってスタックカムガイド３４とスタックプレート３１が初期状態から前方へと押し出される。すると、収納通路７においてその幅方向両端が側面ベース２３の左右一対の搬送ガイド２３ａによって保持されている紙幣Ｐがスタックプレート３１によって前方へと押し出される。この結果、紙幣Ｐは、側面ベース２３の搬送ガイド２３ａから離脱して図５に示すように収納部３０のカバーベース板２７に押し付けられて集積され、カバーベース板２７の側面視横Ｖ字状の形状に沿って長手方向略中央部が湾曲した状態で収納部３０内の収納空間Ｓに収納される。尚、その後、スタックカム３５が更に半回転すると、スタックカムガイド３４とスタックプレート３１が図４に示す初期位置まで後退して待機する。尚、スタックプレート３１は、リンク３２，３３のパンタグラフ機能によって水平を保った状態で前後に直線的に往復動する。
【００３９】
以上のように、本発明に係る紙幣識別装置１においては、紙幣Ｐを湾曲した状態で収納部３０に収納するようにしたため、収納部３０の外形寸法を紙幣Ｐの長手方向寸法以下に抑えることができる。この結果、紙幣識別装置１の小型・コンパクト化を図ることができ、従来は設置できなかった場所にも当該紙幣識別装置１を設置することができ、その用途が多様化するという効果が得られる。特に、本実施の形態では、紙幣Ｐをその長手方向略中央部を湾曲させた状態で収納部３０に収納するようにしたため、紙幣Ｐの折り目等の癖による影響を余り受けることなく該紙幣Ｐを収納部３０に安定的に収納することができる。
【００４０】
次に、本発明の要旨を図６〜図１１に基づいて説明する。
【００４１】
本発明は、搬送手段１０とスタック手段４０を駆動ユニット５０としてユニット化し、この駆動ユニット５０をベース部２に対して係脱可能に取り付けたことを特徴とする。
【００４２】
図６に示すように、ベースカバー２の前面開口部の内側下部の左右には、左右２列の垂直な支持片３８，３９がそれぞれ形成されており、各支持片３８，３９の下端には円孔状の嵌合孔３８ａ，３９ａがそれぞれ形成されている。そして、右側の支持片３９の上部には鍵状のフック４１が図１０に示すように軸４２によって回動可能に軸支されており、このフック４１は、右側の支持片３９の上部に当接することによって通常は図示のように水平を保った状態で前方に向かって突出している。又、ベース部２の内側上部の左右には係止片４３がそれぞれ形成されており、各係止片４３には切欠円状の係止孔４３ａが形成されている。
【００４３】
他方、駆動ユニット５０の前記側面ベース２３の左右一対の搬送ガイド２３ａの下部外面にはブラケット４４がそれぞれ垂直に形成されており、各ブラケット４４の下部外面には円柱状のピン４４ａが外側方に向かって突設されている。又、側面ベース２３の左右の側面上部には係合ピン４５が外側方に向かって突設されている。
【００４４】
而して、駆動ユニット５０は、図９に示すように、その左右の側面下部に突設されたピン４４ａをベース部２側の左右内側の支持片３８に形成された嵌合孔３８ａに内側から嵌合させることによって、ベース部２に対してその下端部を中心として回動可能に支持されており、これを開いて開放することができる。そして、図９に示すように開放された駆動ユニット５０をその下端部を中心として図示矢印方向に回動させて閉じ、その左右の側面上部に突設された係合ピン４５をベース部２の左右の係止片４３に形成された係止孔４３ａに嵌め込むことによって、該駆動ユニット５０がベース部２に対して係止されて閉じ状態が維持される。
【００４５】
他方、図６に示すように、正面カバー３の左右の側面３ｄ，３ｅの内側には、ピン４６が内側に向かって水平に突設されており（図６には一方のみ図示）、右側の側面３ｅの内側の前記ピン４６の上方には係合ピン４７が内側に向かって水平に突設されている。
【００４６】
而して、正面カバー３は、図１０に示すように、その左右の内側に突設された前記ピン４６をベース部２の左右外側の支持片３９に形成された嵌合孔３９ａに外側から嵌め込むことによって、ベース部２に対してその下端部を中心として回動可能に支持されている。このとき、正面カバー３の内面に突設された前記係合ピン４７はベース部２側に設けられた前記フック４１に係合しており、正面カバー３をその下端部を中心として回動させてこれを開く場合、通常は係合ピン４７が図１０に示すようにフック４１の先端部に係合して正面カバー３の開き角度が規制される。尚、正面カバー３を図１０に示す角度よりも大きく開く必要がある場合には、フック４１を軸４２を中心として上方へ回転させて係合ピン４７との係合を解除すれば、図１１に示すように正面カバー３を水平に近い角度まで回動させてこれを大きく開くことができる。
【００４７】
ところで、図６に示すようにベース部２の垂直な内面は識別通路側面部６Ａを構成しており、該識別通路側面部６Ａには入口センサ２４と識別センサ２５が設けられている。又、図８に示すように駆動ユニット５０のベース部２側の前記識別通路側面部６Ａに対向する垂直な面は識別通路側面部６Ｂを構成しており、この識別通路側面部６Ｂの識別通路側面部６Ａ側の入口センサ２４と識別センサ２５に対向する位置には、同様の入口センサ２４と識別センサ２５が設けられている。このように構成することによって、駆動ユニット５０を閉じてこれをベース部２に係止することによって、図３〜図５に示すように、両識別通路側面部６Ａ，６Ｂによって前記識別通路６が形成されるとともに、両識別センサ２５によって前記識別手段２０が形成される。
【００４８】
而して、本発明に係る紙幣識別装置１においては、搬送手段１０とスタック手段４０を駆動ユニット５０としてユニット化し、該駆動ユニット５０をベース部２に対して係脱可能に取り付けたため、搬送手段１０やスタック手段４０の機構部分が故障したような場合には、駆動ユニット５０のみを交換すれば済むためにメンテナンス性が高められ、経済的でもある。
【００４９】
又、識別通路６に紙幣Ｐが詰まった場合には、正面カバー３を回動させて開放し、駆動ユニット５０のベース部２への係合を解除してこれを図１１に示すように開けば、識別通路６が開放されるため、詰まった紙幣Ｐを容易に取り除くことができる。そして、正面カバー３を回動させて開放することによって収納通路７も同時に開放されるため、収納通路７に紙幣Ｐが詰まった場合も、詰まった紙幣Ｐを容易に取り除くことができる。
【００５０】
更に、本発明に係る紙幣識別装置１によれば、正面カバー３をベース部２に回動可能に軸支するとともに、該正面カバー３に収納部３０を設けたため、正面カバー３を回動させてこれを図１０又は図１１に示すように開放することによって、収納部３０に収納されている紙幣Ｐを容易に取り出して回収することができる。
【符号の説明】
【００５１】
１              紙幣識別装置
２              ベース部
３              正面カバー
３ａ            正面カバーの前面
３ｂ，３ｃ      正面カバーの斜面
３ｄ，３ｅ      正面カバーの側面
４              投入口
５              投入ガイド
６              識別通路
６Ａ，６Ｂ      識別通路側面部
７              収納通路
９              搬送駆動ローラ
１０            搬送手段
１１〜１５      ベルトローラ
１６            駆動ベース
１７            搬送ベルト
１８，１９      搬送ローラ
２０            識別手段
２１，２２      搬送ローラ
２３            側面ベース
２３ａ          側面ベースの搬送ガイド
２４            入口センサ
２５            識別センサ
２６            検知レバー
２７            カバーベース板
２８            検知センサ
２９            スタックベース
３０            収納部
３１            スタックプレート
３２，３３      リンク
３４            スタックカムガイド
３４ａ          スタックカムガイドのガイド溝
３５            スタックカム
３６            軸
３７            カムローラ
３８，３９      支持片
３８ａ，３９ｂ  支持片の嵌合孔
４０            スタック手段
４１            フック
４２            軸
４３            係止片
４３ａ          係止片の係止孔
４４            ブラケット
４４ａ          ピン
４５            係合ピン
４６            ピン
４７            係合ピン
５０            駆動ユニット
１００          遊技島
１０１          パチンコ台
１０２          玉貸機
１０３          プレート
１０４          呼出ランプ
Ｇ１            ギヤ
Ｇ２，Ｇ３      駆動ギヤ
Ｇ４              ギヤ
Ｍ１            搬送モータ
Ｍ２            スタックモータ
Ｐ              紙幣
Ｓ              収納空間
【図１】
2010211426.tif 000003
【図２】
2010211426.tif 000004
【図３】
2010211426.tif 000005
【図４】
2010211426.tif 000006
【図５】
2010211426.tif 000007
【図６】
2010211426.tif 000008
【図７】
2010211426.tif 000009
【図８】
2010211426.tif 000010
【図９】
2010211426.tif 000011
【図１０】
2010211426.tif 000012
【図１１】
2010211426.tif 000013